(57)【要約】【課題】  繰出機構の内部に対するメンテナンスを容易に行えるようにする。【解決手段】  繰出機構１８の作動で粉粒体を繰り出すように構成された粉粒体供給装置において、繰出機構１８を、作業姿勢とその内部を開放するメンテナンス姿勢とに、左右向きの軸心Ｘ１周りに姿勢切り換え可能に構成してある。【選択図】        図４
2006101783.tif 000002
【特許請求の範囲】
【請求項１】
繰出機構の作動で粉粒体を繰り出すように構成された粉粒体供給装置であって、
前記繰出機構を、作業姿勢とその内部を開放するメンテナンス姿勢とに、左右向きの軸心周りに姿勢切り換え可能に構成してある粉粒体供給装置。
【請求項２】
前記繰出機構のケーシングを、上側ケース部と下側ケース部とに分割可能な２分割構造で、かつ、前記メンテナンス姿勢への姿勢切り換えに伴って上下に分割されるように構成してある請求項１に記載の粉粒体供給装置。
【請求項３】
前記上側ケース部と前記下側ケース部とを、左右向きの連結軸を介して開閉揺動可能に連結し、前記繰出機構の姿勢切り換えに伴って、前記連結軸を支点にして、前記上側ケース部と前記下側ケース部とが開閉揺動するように構成してある請求項２に記載の粉粒体供給装置。
【請求項４】
前記繰出機構の前記メンテナンス姿勢への姿勢切り換えに伴って、前記連結軸が、前記繰出機構の姿勢切り換え方向と同じ方向に前記軸心周りに変位するように、前記軸心の位置と前記連結軸の位置とを異ならせてある請求項３に記載の粉粒体供給装置。
【請求項５】
前記繰出機構を、前記ケーシングの内部に装備した繰出ロールの回転で前記粉粒体の繰り出しを行うように構成し、
前記ケーシングを上下に分割する分割線が、前記繰出ロールの回転軸心位置を通るように構成してある請求項２〜４のいずれか一つに記載の粉粒体供給装置。
【請求項６】
前記繰出機構が、その前記メンテナンス姿勢から前記作業姿勢への姿勢切り換えに伴って、前記粉粒体の繰り出しが可能な状態に自動復帰するように構成してある請求項１〜５のいずれか一つに記載の粉粒体供給装置。
【請求項７】
前記繰出機構を、前記軸心周りでの後方への変位で前記メンテナンス姿勢に切り換わるように構成してある請求項１〜６のいずれか一つに記載の粉粒体供給装置。
【請求項８】
前記繰出機構の前記作業姿勢から前記メンテナンス姿勢への姿勢切り換え時における前記繰出機構の前記メンテナンス姿勢を越える方向への前記軸心周りでの変位を規制する第１規制部材と、前記繰出機構の前記メンテナンス姿勢から前記作業姿勢への姿勢切り換え時における前記繰出機構の前記作業姿勢を越える方向への前記軸心周りでの変位を規制する第２規制部材とを設けてある前記請求項１〜７のいずれか一つに記載の粉粒体供給装置。
【請求項９】
前記繰出機構を前記メンテナンス姿勢で保持する保持部材を設けてある請求項１〜８のいずれか一つに記載の粉粒体供給装置。
【発明の詳細な説明】
【技術分野】
【０００１】
本発明は、繰出機構の作動で粉粒体を繰り出すように構成された粉粒体供給装置に関する。
【背景技術】
【０００２】
上記のような粉粒体供給装置としては、田植機などの作業機の後部に搭載装備されるものがあり、その構成としては、左右方向に並設された複数の繰出機構を、機体に固定された固定部分と、この固定部分に対して離脱可能な離脱部分とに分割可能に構成するとともに、これらの繰出機構に対して、その上部に接続された肥料タンクを、離脱部分の離脱を許容するメンテナンス位置に移動可能に構成したものがある（例えば特許文献１参照）。
【特許文献１】特開２００３−１６４２０７号公報（段落番号００３７〜００３８、図５〜７）
【発明の開示】
【発明が解決しようとする課題】
【０００３】
上記の構成によると、各繰出機構のケーシング内や繰出ロールなどに付着した粒状肥料などの粉粒体を取り除く清掃作業や、繰出ロールの交換などのメンテナンスを行う場合には、各繰出機構の上部に位置する肥料タンクをメンテナンス位置に移動させた後、各繰出機構の離脱部分を固定部分から離脱させる必要があり、又、そのメンテナンス後には、各繰出機構の固定部分に離脱部分を組み付けた後、肥料タンクを、メンテナンス位置から各繰出機構の上部に戻す必要がある。
【０００４】
しかも、作業機に離脱部分を仮置きする場所を確保することは困難であることから、離脱部分を、作業機の繰出機構配設箇所と機外の仮置き位置とにわたって搬送する手間を要することになる。
【０００５】
つまり、繰出機構の内部に対するメンテナンスを行うための準備作業や、そのメンテナンス後の組み付け作業にかなりの労力を要することになる。
【０００６】
本発明の目的は、繰出機構の内部に対するメンテナンスを容易に行えるようにすることにある。
【課題を解決するための手段】
【０００７】
上記の課題を解決するための手段として、本発明では、繰出機構の作動で粉粒体を繰り出すように構成された粉粒体供給装置において、前記繰出機構を、作業姿勢とその内部を開放するメンテナンス姿勢とに、左右向きの軸心周りに姿勢切り換え可能に構成してある。
【０００８】
この構成によると、繰出機構を、作業姿勢からメンテナンス姿勢に切り換えるだけで、繰出機構の全体又は部分的に取り外す手間を要することなく、その内部を開放することができ、その内部に対する、例えば、そのケーシングの内部や繰出ロールに付着した粉粒体を取り除く清掃作業や繰出ロールの交換などのメンテナンスを行える。又、そのメンテナンス後は、繰出機構を、メンテナンス姿勢から作業姿勢に切り換えるだけで、粉粒体の繰り出しが可能な状態にできる。
【０００９】
又、繰出機構を取り外す必要がないことで、それを仮置きする場所の確保や搬送する手間が不要になる。
【００１０】
従って、ケーシングの内部や繰出ロールに付着した粉粒体を取り除く清掃作業や繰出ロールの交換などの繰出機構の内部に対するメンテナンスの際に要する手間や労力を効果的に削減できるメンテナンス性に優れたものにできる。
【００１１】
本発明をより好適なものにするための手段の一つとして、前記繰出機構のケーシングを、上側ケース部と下側ケース部とに分割可能な２分割構造で、かつ、前記メンテナンス姿勢への姿勢切り換えに伴って上下に分割されるように構成してある。
【００１２】
この構成によると、繰出機構をメンテナンス姿勢に切り換えた際に、ケーシングの上側ケース部と下側ケース部とが上下に大きく離間するように構成するほど、繰出機構の内部を大きく開放することができ、その内部に対する、例えば、そのケーシングの内部や繰出ロールに付着した粉粒体を取り除く清掃作業や繰出ロールの交換などのメンテナンスが更に行い易くなる。
【００１３】
従って、ケーシングの内部や繰出ロールに付着した粉粒体を取り除く清掃作業や繰出ロールの交換などの繰出機構の内部に対するメンテナンス性の向上が可能になる。
【００１４】
本発明をより好適なものにするための手段の一つとして、前記上側ケース部と前記下側ケース部とを、左右向きの連結軸を介して開閉揺動可能に連結し、前記繰出機構の姿勢切り換えに伴って、前記連結軸を支点にして、前記上側ケース部と前記下側ケース部とが開閉揺動するように構成してある。
【００１５】
この構成によると、上側ケース部と下側ケース部とを連結軸で連結したことで、それらを開いた状態での安定性が向上し、繰出機構の内部に対するメンテナンスが行い易くなるとともに、繰出機構をメンテナンス姿勢から作業姿勢に切り換える際の上側ケース部と下側ケース部との連結が行い易くなる。
【００１６】
従って、繰出機構の内部に対するメンテナンス性、及び、繰出機構をメンテナンス姿勢から作業姿勢に切り換える際の操作性の向上を図れる。
【００１７】
本発明をより好適なものにするための手段の一つとして、前記繰出機構の前記メンテナンス姿勢への姿勢切り換えに伴って、前記連結軸が、前記繰出機構の姿勢切り換え方向と同じ方向に前記軸心周りに変位するように、前記軸心の位置と前記連結軸の位置とを異ならせてある。
【００１８】
ところで、上述したように上側ケース部と下側ケース部とを連結軸で連結すると、それらを開いた状態での姿勢が安定して、繰出機構の内部に対するメンテナンス性や、繰出機構をメンテナンス姿勢から作業姿勢に切り換える際の操作性が向上する反面、繰出機構の姿勢切り換え支点である左右向きの軸心との位置関係によっては、繰出機構をメンテナンス姿勢に切り換えた際の開放領域が狭くなることがある。
【００１９】
又、このような粉粒体供給装置を作業機に搭載装備する場合、繰出機構をメンテナンス姿勢に切り換える際の揺動方向を、走行機体から離れる方向に設定することで、その繰出機構の内部を開放するための距離を稼ぐのであるが、作業機には、本来より運転座席などの他物が多く装備されていることから、その揺動で得られる開放領域だけでは、繰出機構の内部に対するメンテナンスを行う上では不十分になることがある。
【００２０】
そこで、繰出機構のメンテナンス姿勢への姿勢切り換えに伴って、上側ケース部と下側ケース部との連結軸を、その姿勢切り換え方向と同じ方向に左右向きの軸心周りに変位させて、繰出機構の内部を開放するための距離をより大きく稼げるようにしているのであり、これによって、運転座席などの他物が多く装備される作業機に搭載装備した場合であっても、繰出機構の内部をより大きく開放できることから、その内部に対するメンテナンスが行い易くなる。
【００２１】
従って、上側ケース部と下側ケース部とを連結軸で開閉揺動可能に連結して、それらを開いた状態での安定性の向上を図るものでありながら、繰出機構の内部をより大きく開放できるよりメンテナンス性に優れたものにできる。
【００２２】
本発明をより好適なものにするための手段の一つとして、前記繰出機構を、前記ケーシングの内部に装備した繰出ロールの回転で前記粉粒体の繰り出しを行うように構成し、前記ケーシングを上下に分割する分割線が、前記繰出ロールの回転軸心位置を通るように構成してある。
【００２３】
この構成によると、繰出機構をメンテナンス姿勢に切り換えると、ケーシングが、繰出ロールの回転軸心位置を通る分割線によって上側ケース部と下側ケース部とに分割され、繰出ロールが下側ケース部に受け止め支持された状態となり、繰出ロールをケーシングから簡単に取り外せるようになる。
【００２４】
従って、繰出ロールに付着した粉粒体を取り除く清掃作業や繰出ロールの交換などのメンテナンスが更に行い易くなる。
【００２５】
本発明をより好適なものにするための手段の一つとして、前記繰出機構が、その前記メンテナンス姿勢から前記作業姿勢への姿勢切り換えに伴って、前記粉粒体の繰り出しが可能な状態に自動復帰するように構成してある。
【００２６】
この構成によると、繰出機構のメンテナンス姿勢から作業姿勢への姿勢切り換え後に、例えば、繰出機構をメンテナンス姿勢で固定する、あるいは、開閉可能なケーシングを閉じ状態で固定する、などの専用の固定操作を行わなくても、繰出機構を作業姿勢に切り換える姿勢切り換え操作を行うだけで、粉粒体の繰り出しが可能な状態にすることができる。
【００２７】
従って、繰出機構をメンテナンス姿勢から作業姿勢に切り換える際のより一層の操作性の向上を図れる。
【００２８】
本発明をより好適なものにするための手段の一つとして、前記繰出機構を、前記軸心周りでの後方への変位で前記メンテナンス姿勢に切り換わるように構成してある。
【００２９】
近年、田植機や直播機などのように、走行機体の後部にリンク機構を介して苗植付装置や播種機などの作業装置を連結装備する作業機においては、その機体の安定性の向上を図りながら、植え付けや播種に連動した肥料や薬剤の供給を可能にするために、走行機体の後部に粉粒体供給装置を搭載装備することが考えられているのであるが、この構成においては、粉粒体供給装置の後方に作業装置が装備されていることから、粉粒体供給装置に対する作業を機体後方から行うにはかなりの無理が生じることになる。
【００３０】
そこで、繰出機構を、左右向きの軸心周りでの後方への変位でメンテナンス姿勢に切り換わるように構成して、そのメンテナンス姿勢では、その内部を前方側に開放させるとともに、その前方側に作業空間を確保し易くするのであり、これによって、繰出機構の内部に対するメンテナンスをその前方側つまり走行機体側から簡単に行える。
【００３１】
従って、走行機体の後部に粉粒体供給装置を搭載装備するミッドマウント式の作業機におけるメンテナンス性の向上を好適に図れる。
【００３２】
本発明をより好適なものにするための手段の一つとして、前記繰出機構の前記作業姿勢から前記メンテナンス姿勢への姿勢切り換え時における前記繰出機構の前記メンテナンス姿勢を越える方向への前記軸心周りでの変位を規制する第１規制部材と、前記繰出機構の前記メンテナンス姿勢から前記作業姿勢への姿勢切り換え時における前記繰出機構の前記作業姿勢を越える方向への前記軸心周りでの変位を規制する第２規制部材とを設けてある。
【００３３】
この構成によると、繰出機構がメンテナンス姿勢を越えて更に姿勢変更することや、作業姿勢を越えて更に前方に姿勢変更することに起因して、繰出機構が、その周囲に配備される例えば運転座席や作業装置などの他物に干渉する虞を回避できる。
【００３４】
又、繰出機構の組み付け時に第２規制部材を有効利用すれば、繰出機構の作業姿勢での組み付けが行い易くなる。
【００３５】
従って、繰出機構がその姿勢切り換え時に他物に干渉することに起因した繰出機構や他物の損傷を未然に回避できるとともに、繰出機構の組み付け性の向上を図れる。
【００３６】
本発明をより好適なものにするための手段の一つとして、前記繰出機構を前記メンテナンス姿勢で保持する保持部材を設けてある。
【００３７】
この構成によると、保持部材により繰出機構をメンテナンス姿勢で保持できることから、繰出機構をメンテナンス姿勢に切り換えた際に、例えば、一方の手で繰出機構をメンテナンス姿勢に保持しながら、他方の手でケーシングの内部や繰出ロールに付着した粉粒体を取り除く、といった無理な体勢での作業を強いることがない。
【００３８】
従って、繰出機構の内部に対するメンテナンス性の向上を更に図れる。
【発明を実施するための最良の形態】
【００３９】
図１には作業機の一例である乗用形田植機の全体側面が示されており、この田植機は、走行機体１の後部に、油圧シリンダ２の作動で昇降揺動するリンク機構３を介して苗植付装置４を駆動昇降可能に連結し、かつ、粉粒体供給装置５の一例である施肥装置５を搭載装備して構成されている。
【００４０】
走行機体１は、その前部に搭載したエンジン６からの動力を、静油圧式無段変速装置７やギヤ式変速装置８などを介して、左右の前輪９及び後輪１０に伝達する四輪駆動形で、その前後中央に、左右の前輪９を操向するステアリングホイール１１や運転座席１２などを備える搭乗運転部１３を形成した乗用形に構成されている。
【００４１】
苗植付装置４は、動力分配機構１４に伝達されたギヤ式変速装置８からの作業用動力で、８条分のマット状苗を載置する苗載台１５が左右方向に一定ストロークで往復駆動されるとともに、左右方向に並設されたロータリ式の植付機構１６が、苗載台１５の下端から苗を所定量ずつ切り出して、複数の整地フロート１７で整地した泥土部に植え付けるように回転駆動され、かつ、苗載台１５が左右のストローク端に到達するごとに各マット状苗が苗載台１５の下端に向けて縦送りされることで、最大８条の苗の植え付けを行える８条植え用に構成されている。
【００４２】
図１〜７に示すように、施肥装置５は、ギヤ式変速装置８から出力された後輪駆動用の動力で、左右方向に並設された繰出機構１８が、施肥タンク１９に貯留された粉粒体の一例である粒状肥料を所定量ずつ繰り出すように駆動され、電動式の送風機２０で生起される搬送風で、各繰出機構１８により繰り出された粒状肥料を対応する対地排出部２１としての作溝器２１に搬送し、それらの各作溝器２１から圃場泥土内に供給することで、最大８条の施肥を行える８条施肥用に構成されている。
【００４３】
施肥タンク１９は、２条分の粒状肥料を貯留する４つのホッパ２２を左右方向に連結し、それらの各上端に形成された肥料供給口を開閉する単一の蓋体２３を備えて構成されている。各ホッパ２２の下端には、肥料取出口が形成されるとともに、４つの繰出機構１８のうちの対応するものが連結されている。
【００４４】
各繰出機構１８は、各ホッパ２２の下端に接続されるケーシング２４の内部に、周面に複数の肥料繰り出し用の凹部２５ａが整列形成された２つ１組で合計４つの繰出ロール２５を、ケーシング２４に左右向き姿勢で支持された駆動軸２６と一体回転する状態に左右に並設し、又、施肥タンク１９の肥料取出口に対する各繰出ロール２５の開放面積を変更することによる肥料繰り出し量の調節を可能にするシャッター式の施肥量調節機構２７などを備え、その駆動軸２６に、後輪駆動用の動力が施肥伝動機構２８を介して伝達されて左右の各繰出ロール２５が回転駆動されることで、最大２条分の粒状肥料の繰り出しを行えるように構成されている。
【００４５】
施肥伝動機構２８は、ギヤ式変速装置８から後車軸ケース２９に伝動する伝動軸３０に装備した動力取出部３１で、後輪駆動用の動力の一部を施肥用として取り出した後、ロッド３２や揺動アーム３３などを介して左右向きの伝動軸３４に伝達し、この伝動軸３４から、対応する補助クラッチ３５を介して、各繰出機構１８のケーシング２４から突出する駆動軸２６の左端部に一体形成した従動ギヤ３６と噛合する駆動ギヤ３７に伝達するように構成されている。ロッド３２と揺動アーム３３との間には、それらの連結位置を変更することで、揺動アーム３３の揺動角を調節することによる肥料繰り出し量の調節を可能にする施肥量調節部３８が備えられ、又、揺動アーム３３と伝動軸３４との間には、揺動アーム３３の揺動運動を回転運動に変換する動力変換部３９が備えられている。
【００４６】
ケーシング２４は、上側ケース部２４Ａと下側ケース部２４Ｂとに分割可能な２分割構造に構成され、上側ケース部２４Ａと下側ケース部２４Ｂとが、駆動軸２６の後方で、かつ、伝動軸３４の下方に位置するように配置設定された連結軸２４Ｃによって、その連結軸２４Ｃを支点にした開閉揺動操作が可能となるように連結され、下側ケース部２４Ｂに備えたフック状の固定具２４Ｄによる閉じ状態での固定保持が可能となっている。
【００４７】
そして、上側ケース部２４Ａと下側ケース部２４Ｂとに分割する分割線が駆動軸２６の軸心位置を通るように、ケーシング２４に対する駆動軸２６の支持位置が設定され、又、上側ケース部２４Ａと下側ケース部２４Ｂとの開き操作に伴って、上側ケース部２４Ａに支持される伝動軸３４に外嵌装着した駆動ギヤ３７が、下側ケース部２４Ｂで受け止め支持される駆動軸２６に一体形成した従動ギヤ３６から離間して、従動ギヤ３６との噛合を解除するようになっており、もって、ケーシング２４の開き状態では、駆動軸２６などとともに繰出ロール２５をケーシング２４から簡単に取り外すことができる。
【００４８】
下側ケース部２４Ｂは、左右の繰出ロール２５で繰り出されるそれぞれの粒状肥料を左右に案内する二股状に形成され、左右それぞれの下端部には、前後向きに設定された筒状の搬送部２４Ｅが一体形成されている。
【００４９】
搬送部２４Ｅは、その前端部が送風管４０を介して送風機２０に接続され、その後端部が樹脂製のフレキシブル管などからなる搬送管４１を介して対応する作溝器２１に接続されている。送風機２０は、走行機体１の左右中央に位置するように運転座席１２の下方に配置され、エンジン６などで加熱された空気を、その吸気口からエンジン１に向けて延設された吸気管４２を介して吸引して搬送風に利用することで、湿気などに起因した粒状肥料の搬送管４１や作溝器２１への付着を抑制する。各作溝器２１は、対応する植付機構１６に隣接して、その植付機構１６で植え付けられた苗の横側方近傍箇所に粒状肥料を供給するように、対応する整地フロート１７に支持装備されている。
【００５０】
各繰出機構１８は、走行機体１の後端部に装備した支持フレーム４３に、施肥タンク１９とともに支持されている。支持フレーム４３は、走行機体１の後端部に立設された固定フレーム部４３Ａに、各繰出機構１８及び施肥タンク１９が連結される可動フレーム部４３Ｂを、ケーシング開閉用の連結軸２４Ｃよりも後部上方に配置設定された左右向きの支軸４３Ｃを介して、その軸心Ｘ１周りでの上下揺動が可能となるように連結して構成され、その可動フレーム部４３Ｂの遊端が、走行機体１における固定フレーム部４３Ａから前方に所定間隔を隔てた位置に立設された左右一対の受け部材４４に弾性体４５を介して受け止め支持され、それら左右の各受け部材４４と可動フレーム部４３Ｂの遊端とにわたってそれぞれ設けたバックル式の固定具４６によって、左右の受け部材４４で受け止め支持された状態での固定保持が可能となっている。
【００５１】
左側の受け部材４４には、可動フレーム部４３Ｂを受け部材４４による受け止め位置から上方に揺動させた所定位置で受け止め保持する受止姿勢と、その受け止め保持を解除して退避した退避姿勢とにわたって揺動操作可能な杆状の保持部材４７と、退避姿勢に揺動操作された保持部材４７との弾性係合で、この保持部材４７を退避姿勢に保持する樹脂製の保持具４８とが備えられている。
【００５２】
以上の構成から、各繰出機構１８のケーシング２４に備えた固定具２４Ｄによる上側ケース部２４Ａと下側ケース部２４Ｂとの固定保持を解除し、かつ、各繰出機構１８のケーシング２４から搬送管４１などを取り外した状態で、固定具４６による可動フレーム部４３Ｂの受け止め位置での固定保持を解除して、可動フレーム部４３Ｂを、左右向きの軸心Ｘ１周りに受け部材４４による受け止め位置から上方に向けて揺動させると、各繰出機構１８が施肥タンク１９とともに、その左右向きの軸心Ｘ１周りで後方に向けて傾倒し、かつ、その傾倒に伴って、送風管４０との接続で下端部の移動が規制されているケーシング２４の連結軸２４Ｃが左右向きの軸心Ｘ１周りに上昇することで、上側ケース部２４Ａと下側ケース部２４Ｂとが、連結軸２４Ｃを支点にして、互いに離れる方向に相対揺動する状態となって、その内部を機体前方側に大きく開放するようになる。そして、この開放状態で、保持部材４７を受止姿勢に切り換えて可動フレーム部４３Ｂを受け止め保持させるようにすれば、ケーシング２４の内部や繰出ロール２５に付着した粒状肥料を取り除く清掃作業や繰出ロール２５の交換などのメンテナンスを、苗植付装置４が邪魔になることのない走行機体側から容易に行える。
【００５３】
又、そのメンテナンス後は、保持部材４７による可動フレーム部４３Ｂの受け止め保持を解除して、可動フレーム部４３Ｂを、左右向きの軸心Ｘ１周りに受け部材４４による受け止め位置まで下降揺動させると、各繰出機構１８が施肥タンク１９とともに、その左右向きの軸心Ｘ１周りで前方に向けて起立し、かつ、その起立に伴って、送風管４０との接続で下端部の移動が規制されているケーシング２４の連結軸２４Ｃが左右向きの軸心Ｘ１周りに下降することで、上側ケース部２４Ａと下側ケース部２４Ｂとが、連結軸２４Ｃを支点にして、互いに近づく方向に相対揺動する状態となって、その機体前方側に大きく開放した空間を閉じるようになる。そして、この閉じ状態で、各繰出機構１８の上側ケース部２４Ａと下側ケース部２４Ｂとを固定具２４Ｄで固定し、下側ケース部２４Ｂの各搬送部２４Ｅに搬送管４１を接続し、左右の固定具４６で可動フレーム部４３Ｂを受け部材４４によるの受け止め位置で固定すれば、施肥タンク１９の各ホッパ２２に貯留した粒状肥料の各繰出機構１８による繰り出しが可能になる。
【００５４】
つまり、可動フレーム部４３Ｂを左右向きの軸心Ｘ１周りに操作することで、施肥タンク１９に貯留した粉粒体の繰り出しが可能となるように、各繰出機構１８を施肥タンク１９とともに起立させて各ケーシング２４を閉じた作業姿勢と、ケーシング２４の内部や繰出ロール２５に付着した粒状肥料を取り除く清掃作業や繰出ロール２５の交換などのメンテナンスが可能となるように、各繰出機構１８を施肥タンク１９とともに後方に傾倒させて各ケーシング２４を開いたメンテナンス姿勢とに切り換えられ、又、左側の受け部材４４にのみ保持部材４７を備えたことで、操縦者は、左手で可動フレーム部４３Ｂを左右向きの軸心Ｘ１周りに操作しながら、右手で保持部材４７を揺動操作することが可能になり、各繰出機構１８をメンテナンス姿勢に切り換えながらのそのメンテナンス姿勢での姿勢保持や、各繰出機構１８のメンテナンス姿勢での姿勢保持を解除しながらの作業姿勢への姿勢切り換えを、補助作業者を要することなく１人で簡単に行える。
【００５５】
尚、可動フレーム部４３Ｂの左右中央部には、上記の姿勢切り換え操作を行い易くするための把持部４３ａが屈曲形成されている。
【００５６】
図５に示すように、固定フレーム部４３Ａと可動フレーム部４３Ｂとの連結部には、固定フレーム部４３Ａに備えた第１被接当部分４９ａと可動フレーム部４３Ｂに備えた第１接当部分４９ｂとから、それらの接当で可動フレーム部４３Ｂの軸心Ｘ１周りでの上昇揺動を規制するように構成された第１規制部材４９、及び、固定フレーム部４３Ａに備えた第２被接当部分５０ａと可動フレーム部４３Ｂに備えた第２接当部分５０ｂとから、それらの接当で可動フレーム部４３Ｂの軸心Ｘ１周りでの下降揺動を規制するように構成された第２規制部材５０が備えられ、これらの規制部材４９，５０によって、各繰出機構１８がメンテナンス姿勢を越えて更に後方に傾倒することや、左右の受け部材４４が機体に取り付けられていない組み付け時や左右の受け部材４４を機体から取り外したメンテナンス時に、各繰出機構１８が作業姿勢を越えて前方に傾倒することに起因して、施肥タンク１９や繰出機構１８などが運転座席１２や苗載台１５などの周囲部品に干渉する虞や、搬送部２４Ｅや送風管４０などに過剰な負荷がかかって破損する虞を回避できるとともに、左右の受け部材４４が機体に取り付けられていない状態での施肥装置５の組み付け性の向上を図れる。
【００５７】
図１〜４、図６、図８及び図９に示すように、送風管４０は樹脂製で、送風機２０に接続される第１送風管４０Ａ、この第１送風管４０Ａで案内された搬送風を左右に分配する分岐部４０ａを備えた第２送風管４０Ｂ、及び、この第２送風管４０Ｂで左右に分配された搬送風を案内する左右の第３送風管４０Ｃなどを備えて、送風機２０から各繰出機構１８の搬送部２４Ｅにわたる送風経路を形成するように構成されている。
【００５８】
第１送風管４０Ａは、送風機２０から第２送風管４０Ｂに向けて湾曲する硬質樹脂製で、その下端の開口が、送風機２０の排気口にゴム製のブーツ４０Ｄを介して着脱可能に連通接続され、かつ、その上端の開口が、第２送風管４０Ｂにおける下端の開口に第１接続管４０Ｅを介して着脱可能に連通接続されている。
【００５９】
第２送風管４０Ｂは、搬送風の左右方向への均等分配を良好かつ円滑にする略Ｙ字状に形成された硬質樹脂製で、その左右両端の各開口が、対応する第３送風管４０Ｃの一端に形成された開口に第２接続管４０Ｆを介して着脱可能に連通接続されている。
【００６０】
左右の各第３送風管４０Ｃは、対応する搬送部２４Ｅが接続される小径の接続部４０ｂが形成された硬質樹脂製で、それらの各接続部４０ｂに、対応する搬送部２４Ｅがゴム製のブッシュ４０Ｇを介して挿通接続されている。
【００６１】
第１接続管４０Ｅは、蛇腹状に形成されたゴム製の弾性体で構成され、各繰出機構１８の姿勢切り換えに伴って発生する第１送風管４０Ａと第２送風管４０Ｂとの間での拗れや管長の変化を、その弾性変形で吸収する。
【００６２】
第２接続管４０Ｆは、複数の突条ａが周方向に所定間隔を隔てる状態で突曲形成された第１融通部分４０ｃと、蛇腹状に形成された第２融通部分４０ｄとを備える弾性変形可能なゴム製の弾性体で構成され、各繰出機構１８の姿勢切り換えに伴って発生する第２送風管４０Ｂと第３送風管４０Ｃとの間での捻れを第１融通部分４０ｃの弾性変形で吸収し、その第１融通部分４０ｃの捻れ変形に起因した管長の変化を第２融通部分４０ｄの弾性変形で吸収し、第２送風管４０Ｂと第３送風管４０Ｃとの間で発生する捻れに起因した第１融通部分４０ｃの潰れを複数の突条ａで防止するようになっている。
【００６３】
つまり、第１接続管４０Ｅ及び左右の第２接続管４０Ｆのそれぞれが、各繰出機構１８の姿勢切り換えを許容する融通部Ａとして機能するように構成されており、これによって、各繰出機構１８の姿勢切り換え操作を、各繰出機構１８と送風管４０との接続を解除するなどの手間を要することなく簡便に行える。又、施肥タンク１９や各繰出機構１８などを水洗いする場合には、例えば、左右の第３送風管４０Ｃと第２接続管４０Ｆとの接続を解除しておくことで、肥料を含んだ水が送風管４０を介して送風機２０に流入することに起因した送風機２０の錆び付きを防止できる。
【００６４】
尚、送風管４０の各接続箇所には、接続保持用として樹脂製の固定バンドなどが採用されている。
【００６５】
図１〜４、図６及び図１０に示すように、各ケーシング２４の上側ケース部２４Ａには、各ホッパ２２に残った粒状肥料の排出を可能にする排出口２４ａと、この排出口２４ａの手動による開閉操作を可能にする揺動式の弁体２４ｂとが備えられ、この排出口２４ａには、樹脂製のフレキシブル管などからなる排出管５１が、その一端部に装備したコネクタ５２を介して着脱可能に接続されている。
【００６６】
各コネクタ５２は、その接合部５２Ａを排出口２４ａに内嵌接合し、その左右に略上下向きの軸心Ｘ２周りに前後揺動可能に装備した一対の係止具５２Ｂを、排出口２４ａの周囲に形成されたフランジ２４ｃに係止することで、各ケーシング２４の排出口２４ａに簡単に圧着することができ、それらの係止具５２Ｂによる係止を解除することで、各ケーシング２４の排出口２４ａから簡単に取り外すことができる。
【００６７】
つまり、各繰出機構１８をメンテナンス姿勢に切り換える際に前もって行う必要のある各排出口２４ａからの排出管５１の取り外しや、各繰出機構１８を作業姿勢に切り換えた後に行う必要のある各排出口２４ａへの排出管５１の取り付けなどを簡単に行える。
【００６８】
図３、図１１及び図１２に示すように、各繰出機構１８の左右の搬送部２４Ｅには、対応する一対の搬送管４１の一端部に装備した単一のコネクタ５３を介して着脱可能に接続されている。
【００６９】
各コネクタ５３は、左右の搬送部２４Ｅに外嵌接合される左右一対の接続部５３Ａ、それらの接続部５３Ａに左右向きの第１軸心Ｘ３周りに前後揺動可能に支持される平面視門形の操作アーム５３Ｂ、及び、その操作アーム５３Ｂに左右向きの第２軸心Ｘ４周りに相対揺動可能に支持される平面視門形の係止アーム５３Ｃを備え、その係止アーム５３Ｃの遊端には、左右の搬送部２４Ｅの各フランジ２４ｄに突出形成した係止突起２４ｅに係止可能な左右一対の係止凹部５３ａが形成されており、それらの接続部５３Ａを対応する搬送管４１に外嵌し、係止アーム５３Ｃを、その左右の係止凹部５３ａが対応する係止突起２４ｅの前方に位置するように、左右向きの第２軸心Ｘ４周りに揺動操作した状態で、操作アーム５３Ｂを、左右向きの第１軸心Ｘ３周りに後方に向けて揺動操作して、左右の係止凹部５３ａを対応する係止突起２４ｅに係止させることで、左右の搬送部２４Ｅに簡単に圧着することができるとともに、第２軸心Ｘ４のデッドポイント越えによる圧着保持を行える。又、この状態で操作アーム５３Ｂを、左右向きの第１軸心Ｘ３周りに前方に向けて揺動操作して、左右の係止凹部５３ａと係止突起２４ｅとの係止を解除することで、左右の搬送部２４Ｅから簡単に取り外すことができる。
【００７０】
つまり、各繰出機構１８をメンテナンス姿勢に切り換える際に前もって行う必要のある各搬送部２４Ｅからの搬送管４１の取り外しや、各繰出機構１８を作業姿勢に切り換えた後に行う必要のある各搬送部２４Ｅへの搬送管４１の取り付けなどを簡単に行える。
【００７１】
又、左右向きの第１軸心Ｘ３周りでの操作アーム５３Ｂの前後揺動操作で、コネクタ５３の接続状態と接続解除状態との切り換えを行えるように構成したことで、その切り換え操作の際に、左右に並設される搬送管４１などが邪魔になることに起因した操作性の低下を回避できる。
【００７２】
〔別実施形態〕
以下、本発明の別実施形態を列記する。
【００７３】
〔１〕作業機としては、直播機や農用トラクタなどであってもい。
【００７４】
〔２〕粉粒体供給装置５としては、粉状肥料又は粉粒状の薬剤などを繰出機構１８の作動で繰り出すように構成したものであってもよく、又、繰出機構１８で繰り出した粉粒体を自重落下させて圃場に供給するように構成したものであってもよい。
【００７５】
〔３〕粉粒体供給装置５としては、最大４条の粉粒体の供給を行える４条供給用、最大５条の粉粒体の供給を行える５条供給用、最大６条の粉粒体の供給を行える６条供給用、あるいは、最大１０条の粉粒体の供給を行える１０条供給用、などに構成したものであってもよい。
【００７６】
〔４〕粉粒体供給装置５としては苗植付装置４の後部に装備されるものであってもよい。この場合、繰出機構１８を前方に傾倒させた姿勢をメンテナンス姿勢に設定し、そのメンテナンス姿勢では繰出機構１８の内部が機体後方側に大きく開放されるように構成すれば、ケーシング２４の内部や繰出ロール２５に付着した粒状肥料を取り除く清掃作業や繰出ロール２５の交換などのメンテナンスを苗植付装置４の後方側から容易に行える。
【００７７】
〔５〕粉粒体供給装置５としては、送風機２０を機体の左右一側方に配備し、その送風機２０から各繰出機構１８への搬送風の分配供給を左右向きの送風管４０を介して行うように構成したものであってもよい。
【００７８】
〔６〕対地排出部２１としては、繰出機構１８で繰り出された粉粒体を地面から離れた位置から散布するように構成したものであってもよい。
【００７９】
〔７〕ケーシング２４における上側ケース部２４Ａと下側ケース部２４Ｂとのいずれか一方に、他方との係合で上側ケース部２４Ａと下側ケース部２４Ｂとを閉じ状態で固定する固定具２４Ｄを、その固定を解除する解除姿勢に弾性変形可能に装備し、この固定具２４Ｄの弾性変形で上側ケース部２４Ａと下側ケース部２４Ｂとの固定を解除することで、繰出機構１８の左右向きの軸心Ｘ１周りでの作業姿勢からメンテナンス姿勢への姿勢切り換えが許容され、かつ、繰出機構１８の左右向きの軸心Ｘ１周りでのメンテナンス姿勢から作業姿勢への姿勢切り換えに伴って、固定具２４Ｄによる上側ケース部２４Ａと下側ケース部２４Ｂとの閉じ状態での固定が行われて、繰出機構１８が、その作動による粉粒体の繰り出しが可能な状態に自動復帰するように構成してもよい。
【００８０】
この構成においては、繰出機構１８の下側ケース部２４Ｂが、走行機体１の後部や支持フレーム４３の固定フレーム部４３Ａなどの固定部で下方から受け止め支持されるように構成して、繰出機構１８の左右向きの軸心Ｘ１周りでのメンテナンス姿勢から作業姿勢への姿勢切り換えに伴って行われる、固定具２４Ｄによる上側ケース部２４Ａと下側ケース部２４Ｂとの閉じ状態での固定をより確実に行えるようにしてもよい。
【００８１】
〔８〕繰出機構１８を、そのケーシング２４における上側ケース部２４Ａと下側ケース部２４Ｂとを左右向きの連結軸２４Ｃで連結せずに、その左右向きの軸心Ｘ１周りでの作業姿勢からメンテナンス姿勢への姿勢切り換えに伴って、ケーシング２４が、上側ケース部２４Ａと下側ケース部２４Ｂとに上下に完全に切り離された状態となるように構成してもよい。
【００８２】
〔９〕繰出機構１８の姿勢を切り換える左右向きの軸心Ｘの位置と、上側ケース部２４Ａと下側ケース部２４Ｂとを開閉揺動可能に連結する左右向きの連結軸２４Ｃにおける軸心の位置とを一致させて、左右向きの軸心Ｘ周りでの繰出機構１８の姿勢切り換えに伴って、その左右向きの軸心Ｘ周りで上側ケース部２４Ａと下側ケース部２４Ｂとが開閉揺動するように構成してもよい。
【００８３】
この構成においては、繰出機構１８の左右向きの軸心Ｘ周りでの姿勢切り換えに伴って、下側ケース部２４Ｂに対して上側ケース部２４Ａが左右向きの軸心Ｘ周りに開閉揺動するように構成すれば、繰出機構１８の姿勢切り換えに伴って、送風管４０において捻れや管長の変化が発生することを回避でき、送風管４０における融通部Ａの装備を不要にできる。
【００８４】
〔１０〕ケーシング２４を上下に分割する分割線の位置と繰出ロール２５の回転軸心の位置とが上下に位置ずれするように構成してもよい。
【００８５】
〔１１〕左右の両受け部材４４に、繰出機構１８をメンテナンス姿勢で保持する保持部材４７を、受止姿勢と退避姿勢とに姿勢切り換え可能に設けて、繰出機構１８のメンテナンス姿勢での保持をより安定性良く行えるようにしてもよく、又、単一の保持部材４７を左右中央箇所に設けて、単一の保持部材４７でありながら、繰出機構１８のメンテナンス姿勢での保持を安定性良く行えるようにしてもよい。
【図面の簡単な説明】
【００８６】
【図１】乗用形田植機の全体側面図
【図２】施肥装置の構成を示す要部の縦断正面図
【図３】繰出機構を作業姿勢に切り換えた状態を示す要部の側面図
【図４】繰出機構をメンテナンス姿勢に切り換えた状態を示す要部の側面図
【図５】繰出機構の支持構造を示す要部の縦断側面図と要部の縦断正面図
【図６】繰出機構の構成を示す要部の縦断側面図
【図７】繰出機構の構成を示す要部の縦断正面図
【図８】送風管の要部の構成を示す縦断正面図
【図９】融通部の一例である第２接続管の縦断側面図
【図１０】排出管用のコネクタの構成を示す要部の横断平面図
【図１１】搬送管用のコネクタの構成を示す要部の側面図
【図１２】搬送管用のコネクタの構成を示す要部の縦断正面図
【符号の説明】
【００８７】
１８    繰出機構
２４    ケーシング
２４Ａ  上側ケース部
２４Ｂ  下側ケース部
２４Ｃ  連結軸
２５    繰出ロール
４７    保持部材
４９    第１規制部材
５０    第２規制部材
Ｘ１    軸心
【図１】
2006101783.tif 000003
【図２】
2006101783.tif 000004
【図３】
2006101783.tif 000005
【図４】
2006101783.tif 000006
【図５】
2006101783.tif 000007
【図６】
2006101783.tif 000008
【図７】
2006101783.tif 000009
【図８】
2006101783.tif 000010
【図９】
2006101783.tif 000011
【図１０】
2006101783.tif 000012
【図１１】
2006101783.tif 000013
【図１２】
2006101783.tif 000014